(57)【要約】【課題】スピーカーの安定した動作が可能で、しかも小型軽量化とコスト低減を図ることができるスピーカーシステムを提供する。【解決手段】コードレスのスピーカーシステム２の電源として充電式電池１１を使用し、システム本体２ａに充電部１６を有するＡＣアダプタ１５を接続可能とし、充電部１６により充電式電池１１を満充電まで充電し次の使用を可能にした。また、組み込まれる充電式電池１１として上述したように１０Ｃ以上の電流で急速充電できるリチウムイオン二次電池が用いられことも特徴としている。【選択図】      図２
2008278328.tif 000002
【特許請求の範囲】
【請求項１】
外部から無線伝送されるオーディオ信号を無線通信手段により受信するとともに、該受信されたオーディオ信号を増幅してスピーカーを駆動するシステム本体と、
前記システム本体内部に設けられ、該システム本体の動作に必要な電力を供給する電源として用いられる１０Ｃ以上の電流で急速充電可能な充電式電池と
を具備したことを特徴とするスピーカーシステム。
【請求項２】
さらに充電手段を有し、該充電手段は、前記システム本体に電気的に接続可能で、該接続状態で前記充電式電池を充電する充電部を有することを特徴とする請求項１記載のスピーカーシステム。
【請求項３】
前記システム本体は、前記充電式電池の電池残量を表示する電池残量表示手段を有することを特徴とする請求項１記載のスピーカーシステム。
【請求項４】
さらに前記充電式電池の過充電、過放電及び過電流の少なくとも一つを検出し、前記充電式電池の充電又は放電を停止させる監視保護手段を有することを特徴とする請求項１記載のスピーカーシステム。
【請求項５】
前記無線通信手段により受信されるオーディオ信号は、無線通信手段を有する携帯型の音楽プレーヤー又は携帯電話機からのものであることを特徴とする請求項１乃至４のいずれかに記載のスピーカーシステム。
【発明の詳細な説明】
【技術分野】
【０００１】
本発明は、携帯型の音楽プレーヤーなどに用いられるコードレスのスピーカーシステムに関するものである。
【背景技術】
【０００２】
最近、携帯型のオーディオ機器として、フラッシュメモリーやＨＤＤを搭載し、多数の楽曲を記憶し、これらを再生することができる携帯型の音楽プレーヤーが多く見受けられる。また、携帯電話機においても音楽プレーヤー機能を組み込んだものもあり、このような携帯電話機を所有することで通話は勿論、音楽も聴くことができる。
【０００３】
ところで、このような音楽プレーヤーや携帯電話機などの携帯電子機器は、携帯することで、野外などで音楽を楽しむことができるものであり、通常はヘッドフォンを利用して音楽を聴くようになっている。
【０００４】
しかし、このような携帯電子機器を所有するものにとっては、屋外で音楽を聴くばかりでなく、自宅などの部屋の中でも音楽を聴きたいこともあり、このような室内でもヘッドフォンを利用して音楽を聴くのでは、ヘッドフォンの使用が煩わしく思え、音楽を楽しめないことがある。
【０００５】
そこで、最近、スピーカーを別途用意し、このスピーカーを例えば音楽プレーヤーにケーブルなどで接続することにより、ヘッドフォンを使用することなくスピーカーから音楽を聴く方法が考えられている。この場合、スピーカーが小型のものであれば、移動可能な音楽プレーヤーシステムとして屋内を自由に移動して使用することも可能である。
【０００６】
しかしながら、音楽プレーヤーにケーブルを介してスピーカーを接続したのでは、例えば、他の部屋に移動しようとする場合、ケーブルが接続されたまま音楽プレーヤーとスピーカーを移動し、さらにスピーカーの電源としてＡＣ電源を使用している場合は、ＡＣアダプターや電源コードも一緒に移動しなければならず、取り扱いが極めて面倒なものとなる。
【０００７】
また、音楽プレーヤーにケーブルを介してスピーカーを接続してシステム化してしまうと、仮に、外出するのに音楽プレーヤーのみを急に持ち出そうとすると、ケーブルの接続を外してヘッドフォンに繋ぎかえるなどの面倒な手間がかかる。さらに、使用する場所にも制約が生じ、例えば、キッチンやバスルームなどのような水気の多い場所に防水機能を持たない音楽プレーヤーを持ち込むことはトラブルの原因になることもある。
【０００８】
そこで、最近になって特許文献１に開示されるようにオーディオ装置からのオーディオ信号を無線伝送することによりスピーカーシステムをコードレス化したものがある。この場合、スピーカーシステムは、内部電源として充電可能な二次電池が用いられている。
【特許文献１】特開２００４−３２８６９２号公報
【特許文献２】特開２００５−１２３１８３号公報
【発明の開示】
【発明が解決しようとする課題】
【０００９】
このようにスピーカーシステムをコードレス化すれば、オーディオ装置とスピーカーシステムを別々に離して使用できるので、ケーブルを使用するものと比べ取り扱いを極めて便利にできる。また、内部電源として充電可能な二次電池を用いることにより、乾電池のような電池交換が必要でなくなるので、コスト的に安価にできるという利点もある。
【００１０】
ところが、二次電池を電源として使用した場合、電池残量が問題となり、仮に電池残量が少なくなった状態でスピーカーシステムを使用し続けると、スピーカーからの再生音を安定して維持するのが難しくなる。このため、二次電池の電池残量が常に所定値以上を維持できるように、電源コードを介してＡＣ電源に頻繁に接続して二次電池を充電する必要があり、スピーカーシステムをコードレス化した利点が薄れてしまう。また、このような頻繁な二次電池の充電を怠ると、スピーカーシステムの使用頻度が高く連続して使用したような場合、電池切れを招くことがある。電池切れをした場合は、一般に用いられる例えばニッケル水素蓄電池の場合で、普通充電で１２時間程度、急速充電で２〜３時間の充電時間が必要になるため、この間、スピーカーシステムの使用ができなくなる。
【００１１】
そこで、スピーカーシステムを長時間連続して使用できるようにするため、容量の大きな二次電池を搭載することが考えられる。しかし、このような大容量の二次電池は、それ自体大きなものであるため、このような二次電池をスピーカーシステム内に組み込めば、スピーカーシステム全体が大型で重量も大きなものになり、使い勝手の極めて悪いものになってしまう。
【００１２】
本発明は上記事情に鑑みてなされたもので、スピーカーの安定した動作が可能で、しかも小型軽量化とコスト低減を図ることができるスピーカーシステムを提供することを目的とする。
【課題を解決するための手段】
【００１３】
請求項１記載の発明は、外部から無線伝送されるオーディオ信号を無線通信手段により受信するとともに、該受信されたオーディオ信号を増幅してスピーカーを駆動するシステム本体と、前記システム本体内部に設けられ、該システム本体の動作に必要な電力を供給する電源として用いられる１０Ｃ以上の電流で急速充電可能な充電式電池とを具備したことを特徴としている。
【００１４】
請求項２記載の発明は、請求項１記載の発明において、さらに充電手段を有し、該充電手段は、前記システム本体に電気的に接続可能で、該接続状態で前記充電式電池を充電する充電部を有することを特徴としている。
【００１５】
請求項３記載の発明は、請求項１記載の発明において、前記システム本体は、前記充電式電池の電池残量を表示する電池残量表示手段を有することを特徴としている。
【００１６】
請求項４記載の発明は、請求項１記載の発明において、さらに前記充電式電池の過充電、過放電及び過電流の少なくとも一つを検出し、前記充電式電池の充電又は放電を停止させる監視保護手段を有することを特徴としている。
【００１７】
請求項５記載の発明は、請求項１乃至４のいずれかに記載の発明において、前記無線通信手段により受信されるオーディオ信号は、無線通信手段を有する携帯型の音楽プレーヤー又は携帯電話機からのものであることを特徴としている。
【発明の効果】
【００１８】
本発明によれば、スピーカーの安定した動作が可能で、しかも小型軽量化とコスト低減を図ることができるスピーカーシステムを提供できる。
【発明を実施するための最良の形態】
【００１９】
以下、本発明の実施の形態を図面に従い説明する。
【００２０】
（第１の実施の形態）
図１（ａ）（ｂ）は、本発明の第１の実施の形態の携帯型の音楽プレーヤーに使用されるスピーカーシステムの概略構成を示すものである。
【００２１】
図１（ａ）において、１は携帯型の電子機器としての音楽プレーヤーで、この音楽プレーヤー１は、フラッシュメモリーやＨＤＤを搭載し、多数の楽曲を記憶し、これらを選択して再生可能にしたものである。この場合、かかる音楽プレーヤー１は、各種方式の周知のものが多数実用化されており、ここでは詳細な説明を省略する。
【００２２】
この音楽プレーヤー１は、無線通信手段として、例えばブルートゥース（Bluetooth）（登録商標）などの近距離無線通信を行う無線通信部１ａ（図２参照）を内蔵し、音楽プレーヤー１で再生したオーディオ信号を無線通信部１ａで変調して外部に発信可能にしている。ここで、ブルートゥースとは、１０ｍ程度の近距離無線通信のインターフェース規格であり、最大通信速度は１Ｍビット／秒で、２．４ＧＨｚ帯の周波数を使用するものである。
【００２３】
このような音楽プレーヤー１に対して図１（ｂ）に示す本実施の形態のスピーカーシステム２が適用される。この場合、スピーカーシステム２は、システム本体２ａを有し、このシステム本体２ａの両側に２個のスピーカー２ｂ、２ｃが配置されている。図示例では、２個のスピーカー２ｂ、２ｃの例を述べたが、スピーカーは１個でもよい。
【００２４】
システム本体２ａは、正面中央部に操作部３が配置されている。この操作部３には、スピーカー２ｂ、２ｃでの再生音量を表示する表示部や音量を調整するボリュームなど（ともに図示せず）が配置されている。操作部３の下側には、電源スイッチ４やＡＣアダプタ接続端子５が配置され、また、操作部３の上側には、電池残量表示部６が配置されている。電源スイッチ４は、システム本体２ａの電源の入り切りを行う。ＡＣアダプタ接続端子５は、穴部内に配置される筒状の正側電極５ａと、この正側電極５ａの中心軸上に配置される棒状の負側電極５ｂを有するもので、後述するＡＣアダプタ１５のプラグ１９が電気的に接続される。この場合、ＡＣアダプタ接続端子５には、蓋部(不図示)が用意されていて、ＡＣアダプタ接続端子５を使用しないときは、ＡＣアダプタ接続端子５の穴部を蓋部を用いて塞ぐことで防水機能を持たせるようにしている。この場合、スピーカーシステム２は、システム全体に防水機能を持たせてある。
【００２５】
電池残量表示部６は、後述する充電式電池１１の放電状態を表示するもので、電池残量が所定値以上で発光体を点灯し、電池残量が所定値より低下すると点滅する。ここでの発光体としては、例えばＬＥＤが用いられる。この場合、例えば、充電残量が所定値以上のときは青色のＬＥＤ、電池残量が所定値より低下すると赤色のＬＥＤをそれぞれ点灯するようにしても良い。
【００２６】
図２は、スピーカーシステム２のシステム本体２ａの回路構成を示している。なお、図２は、上述した図１と同一部分には同符号を付している。
【００２７】
図２において、１１は充電式電池で、この充電式電池１１は、システム本体２ａ内部に設けられ、システム本体２ａの動作に必要な電源として用いられる。充電式電池１１として本実施の形態には、急速充電が可能なリチウムイオン二次電池が用いられる。このリチウムイオン二次電池は、アルミニウムラミネートフィルムからなる外装部材による容器と、この容器内に収容された非水電解質と、前記容器内に収納されアルミニウム箔よりなる正極集電体にリチウムコバルト酸化物を正極作用物質として含む正極層が担持された正極と、前記容器内に収納されアルミニウム箔よりなる負極集電体にリチウムチタン酸化物を負極活物質粒子として含む負極層が担持された負極とを備えた構造を有している。
【００２８】
ここで、リチウムイオン二次電池についてさらに詳細に説明する。かかる、リチウムイオン二次電池は、リチウムチタン酸化物を活物質として含む負極を備えている。活物質であるリチウムチタン酸化物は、特許文献２に開示される通り、リチウムを吸蔵・放出可能な材料であり、リチウムイオンの挿入・離脱が１．４Ｖから１．７Ｖ／Ｌｉ付近で行われる。このため、この二次電池は大電流での急速充電を行っても、従来の負極活物質に炭素材料を用いた場合と比べてリチウムの析出が起こらずに安全性を確保できる。また、リチウムの吸蔵放出に伴う膨張収縮が生じるのを抑制することができるため、２０Ｃ電流の急速充電を繰り返し行った際にも負極活物質の構造破壊を抑えることができる。その結果、充放電を繰り返し行った場合においても長い寿命を維持できる。電池の電位としては２．４Ｖ程度であることから、従来のニッケル水素蓄電池やニッケルカドミウム蓄電池の２本直列分に相当するため、使用本数で５０％の減量化が達成できる。
【００２９】
具体的には、以下のような方法で組み立てたリチウムイオン二次電池は２０Ｃで３分間充電することにより約８０％電池容量まで充電することが可能な急速充電二次電池であることが確認されている。ここで、『Ｃ』は充放電率を表す単位であり、完全放電から完全充電（または完全充電から完全放電）までを定電流充電した場合に計算上１時間で行えるレートを１Ｃとして表現する。１／１０時間の場合、１０Ｃと表現する。したがって、例えば２０Ｃ充電とは、１Ｃ充電の２０倍の電流が必要になる。
【００３０】
＜負極の作製＞
活物質として、平均粒子径５μｍでＬｉ吸蔵電位が１．５５Ｖ(ｖｓ．Ｌｉ／Ｌｉ+)のチタン酸リチウム（Ｌｉ4Ｔｉ5Ｏ12）粉末と、導電剤として平均粒子径０．４μｍの炭素粉末と、結着剤としてポリフッ化ビニリデン（ＰＶｄＦ）とを重量比で９０：７：３となるように配合し、これらをｎ−メチルピロリドン（ＮＭＰ）溶媒に分散してスラリーを調製した。
【００３１】
なお、活物質の粒子径の測定には、レーザー回折式粒度分布測定装置（島津製作所株式会社  型番ＳＡＬＤ−３００）を用いた。まず、ビーカー等に試料約０．１ｇを入れた後、界面活性剤と１〜２ｍＬの蒸留水を添加して十分に攪拌し、攪拌水槽に注入した。２秒間隔で、６４回光強度分布を測定し、粒度分布データを解析し、累積度数分布が５０％の粒径（Ｄ５０）を平均粒子径とした。
【００３２】
次いで、厚さ１０μｍのアルミニウム箔（純度９９．９９％）を負極集電体に前記スラリーを塗布し、乾燥した後、プレスを施すことにより電極密度２．４ｇ／ｃｍ3の負極を作製した。
【００３３】
＜正極の作製＞
活物質としてリチウムコバルト酸化物（ＬｉＣｏＯ2）と、導電材として黒鉛粉末と、結着剤としてポリフッ化ビニリデン（ＰＶｄＦ）とを重量比で８７：８：５となるように配合し、これらをｎ−メチルピロリドン（ＮＭＰ）溶媒に分散させてスラリーを調製した。厚さ１５μｍのアルミニウム箔（純度９９．９９％）にスラリーを塗布し、乾燥した後、プレスすることにより電極密度３．５ｇ／ｃｍ3の正極を作製した。
【００３４】
＜二次電池の組み立て＞
容器（外装部材）の形成材料として、厚さが０．１ｍｍのアルミニウム含有ラミネートフィルムを用意した。このアルミニウム含有ラミネートフィルムのアルミニウム層は、膜厚約０．０３ｍｍであった。アルミニウム層を補強する樹脂には、ポリプロピレンを使用した。このラミネートフィルムを熱融着で貼り合わせることにより、容器（外装部材）を得、さらに金属アルミニウムの容器に収めた。
【００３５】
次いで、前記正極に正極端子を電気的に接続すると共に、前記負極に負極端子を電気的に接続した。厚さ１２μｍのポリエチレン製多孔質フィルムからなるセパレータを正極に密着させて被覆した。セパレータで被覆された正極に負極を対向するように重ね、これらを渦巻状に捲回して電極群を作製した。この電極群をプレスして扁平状に成形した。容器（外装部材）に扁平状に成形した電極群を挿入した。
【００３６】
エチレンカーボネート（ＥＣ）とγ−ブチルラクトン（ＧＢＬ）が体積比（ＥＣ：ＧＢＬ）で１：２の割合で混合された有機溶媒にリチウム塩であるＬｉＢＦ4を１．５ｍｏｌ／Ｌ溶解させ、液状の非水電解質を調製した。得られた非水電解質を前記容器内に注液し、リチウム二次電池を組み立てた。このようなリチウム二次電池は、満充電時電圧２．８Ｖ、放電終止電圧１．５Ｖで使用することができる。
【００３７】
この実施の形態では、充電式電池１１として、２０Ｃで３分間充電することにより約８０％電池容量まで充電可能で、さらに５分間充電することにより９０％以上の充電が可能なものが用いられる。
【００３８】
このような充電式電池１１には、制御手段としての制御部１２が接続されている。制御部１２には、上述した操作部３、電池残量表示部６が接続され、さらに無線通信手段としての無線通信部１３が接続されている。無線通信部１３は、音楽プレーヤー１側の無線通信部１ａとの間でブルートゥースの無線通信を行うもので、無線通信部１ａより発信されたオーディオ信号を受信して元のオーディオ信号に復調する。
【００３９】
また、制御部１２は、スピーカー駆動手段１２１及び電池残量監視手段１２２を有している。スピーカー駆動手段１２１は、無線通信部１３により復調されたオーディオ信号を電力増幅し、スピーカー２ｂ、２ｃを駆動する。電池残量監視手段１２２は、充電式電池１１の放電状態を監視し、電池残量が所定値以上で電池残量表示部６の発光体を点灯し、電池残量が所定値より低下すると発光体を点滅させる。
【００４０】
充電式電池１１には、監視保護手段として監視保護回路１４が設けられている。この監視保護回路１４は、充電式電池１１の状態を監視するもので、かかる監視結果に応じて不図示のスイッチを駆動して充電式電池１１の充放電を停止させる。この場合、監視保護回路１４は、充電式電池１１の過充電、過放電及び過電流を監視する。そして、充電式電池１１の充電電圧が所定値の範囲では、充電式電池１１の充放電を許容し、充電式電池１１の充電電圧が所定値以上になると過充電と判断し前記スイッチ（不図示）を開放して充電式電池１１の充電を停止させ、また、充電式電池１１の充電電圧が所定値以下になると過放電と判断し前記スイッチ（不図示）を開放して充電式電池１１の放電を停止させる。さらに充電式電池１１の放電電流が所定値以上になると、過電流と判断し前記スイッチ（不図示）を開放して充電式電池１１の放電を停止させる。これにより、充電式電池１１が過充電状態になって電解液の分解によりガスが発生し、電池内部の圧力が上昇して漏液するのを防止し、また、充電式電池１１が過放電状態になって負極の集電体の銅が電解液で溶解し電池性能を劣化させるのを防止する。このような監視保護回路１４は、モジュール化され、前記充電式電池１１内部に一体に組み込まれるものが用いられる。  
なお、監視保護回路１４は、充電式電池１１の過充電、過放電及び過電流の少なくとも一つを監視するものであっても良い。
【００４１】
充電式電池１１には、前記ＡＣアダプタ接続端子５が接続されている。この場合、ＡＣアダプタ接続端子５の正側電極５ａに充電式電池１１の正極端子、負側電極５ｂに充電式電池１１の負極端子が接続されている。
【００４２】
システム本体２ａのＡＣアダプタ接続端子５には、ＡＣアダプタ１５が接続可能になっている。ＡＣアダプタ１５は、充電手段として充電部１６とＡＣ／ＤＣコンバータ１７を有している。充電部１６は、ＡＣ／ＤＣコンバータ１７より出力される直流電力により前記充電式電池１１を満充電まで充電する。ＡＣ／ＤＣコンバータ１７は、交流電力を直流電力に変換するもので、ここでは、電源コード１８を介して供給される１００Ｖの商用電源から３Ｖ程度の直流電圧を発生する。
【００４３】
ＡＣアダプタ１５には、図３に示すようにシステム本体２ａのＡＣアダプタ接続端子５に対応するプラグ１９が接続されている。このプラグ１９は、筒状の正側電極１９ａと、この正側電極１９ａの中心軸上に絶縁体を介して配置される筒状の負側電極１９ｂを有するもので、これら正側電極１９ａ及び負側電極１９ｂを前記充電部１６の正負出力端子に接続されている。そして、前記正側電極１９ａを前記ＡＣアダプタ接続端子５の筒状をした正側電極５ａ内に挿入し、同時に正側電極１９ａ内に棒状をした負側電極５ｂを挿入することで、充電部１６をシステム本体２ａの充電式電池１１に電気的に接続する。
【００４４】
次に、このように構成した実施の形態の作用を説明する。
【００４５】
まず、システム本体２ａのＡＣアダプタ接続端子５にＡＣアダプタ１５のプラグ１９を差し込み、充電部１６により充電式電池１１を満充電まで充電する。ユーザは、電池残量表示部６の発光体が連続点灯していることで充電式電池１１が満充電になっていることを確認する。充電式電池１１の満充電を確認したらＡＣアダプタ１５のプラグ１９をシステム本体２ａのＡＣアダプタ接続端子５から切り離す。
【００４６】
この状態で、携帯型の音楽プレーヤー１に対しコードレスのスピーカーシステム２として使用される。この場合、音楽プレーヤー１で再生されたオーディオ信号が無線通信部１ａで変調され発信されると、スピーカーシステム２では、システム本体２ａの無線通信部１３が無線通信部１ａとの間のブルートゥースの無線通信により、オーディオ信号を受信し、元のオーディオ信号に復調する。そして、この復調されたオーディオ信号をスピーカー駆動手段１２１で電力増幅し、スピーカー２ｂ、２ｃを駆動する。
【００４７】
一方、電池残量監視手段１２２は、充電式電池１１の電池残量を監視する。そして、電池残量が所定値より低下すると、電池残量表示部６の発光体を点滅させる。ユーザは、電池残量表示部６の表示を確認すると、ＡＣアダプタ１５のプラグ１９をシステム本体２ａのＡＣアダプタ接続端子５に差し込んで再び充電式電池１１を満充電まで充電し、次の使用に備える。
【００４８】
したがって、このようにすれば、コードレスのスピーカーシステム２の電源として充電式電池１１を使用し、また、システム本体２ａに充電部１６を有するＡＣアダプタ１５を接続可能とし、充電部１６により充電式電池１１を満充電まで充電し、次の使用を可能にした。また、組み込まれる充電式電池１１として、１０Ｃ以上の電流で急速充電できるリチウムイオン二次電池が用いられことも特徴としている。
【００４９】
これにより、充電式電池１１は数分程度の短時間の急速充電が可能で、しかもＡＣアダプタ１５を接続するだけで充電式電池１１を繰り返し充電ができるので、スピーカーシステム２を連続して使用するような場合も、スピーカーシステム２の使用を長時間中断することなく音楽プレーヤー１からコードレスで配信される音楽を連続して安定して再生することができる。
【００５０】
また、充電式電池１１の充電を頻繁に行うことができるので、電池容量の小さな充電式電池１１を使用することが可能となり、スピーカーシステム２の小型軽量化とともにコスト低減につなげることができる。これらのことは、急速充電が可能な充電式電池１１を使用することによって実現できることである。
【００５１】
また、充電式電池１１を使用することによりスピーカーシステム２をコードレスに構成できるので、スピーカーシステム２に防水機能を持たせることにより、音楽プレーヤー１が防水機能を備えていなくとも、スピーカーシステム２単独でキッチンやバスルームなどの水気の多い場所に持ち込んで音楽を聴くこともできる。
【００５２】
システム本体２ａには、充電式電池１１の放電状態を表示する電池残量表示部６が設けられ、スピーカーシステム２を使用しながら充電式電池１１の放電状態を一目で確認することができるので、充電式電池１１の電池残量がゼロになってシステムが使用不能になるようなことを未然に回避できる。
【００５３】
(変形例１)
上述した実施の形態では、音楽プレーヤー１に無線通信部１ａを有するものについて述べたが、無線通信機能が搭載されていない場合は、例えば、図４に示すように専用の無線通信アダプター２０を用意し、この無線通信アダプター２０をケーブル２１を介して音楽プレーヤー１の例えばヘッドフォン端子１ｂに接続するようにすればよい。この場合、無線通信アダプター２０は、例えばブルートゥースなどの近距離無線通信のインターフェースを内蔵し、音楽プレーヤー１で再生したオーディオ信号を変調して発信可能にしたものが用いられる。
【００５４】
このようにすれば、無線通信機能が搭載されていない音楽プレーヤーであっても第１の実施の形態で述べたスピーカーシステム２と組み合わせて使用することができる。
【００５５】
(変形例２)
上述した実施の形態では、音楽プレーヤー１について述べたが、最近の携帯電話機にはブルートゥースなどの近距離無線通信機能を搭載している機種が増えている。そこで、これら無線通信機能に合わせた双方向無線通信システムをスピーカーシステム２内に組み込めば、携帯電話機のハンズフリー通話機能も搭載することもできる。この場合、図１（ｂ）に示すスピーカーシステム２のシステム本体２ａは、正面にマイク２２が設けられ、このマイク２２より入力されるユーザの音声を携帯電話機側に送信する。
【００５６】
このようにすれば、携帯電話機として無線通信機能と音楽演奏機能を持つものであれば、本発明のコードレスのスピーカーシステム２を使って音楽を再生し、電話機に着信があったときにはハンズフリー通話を行うことができる。また、スピーカーシステム２は、コードレスで携帯電話機と独立しているので、携帯電話機はカバンに入れたままでスピーカーシステム２だけを家の中で持ち歩いて使用するような使い方もできる。
【００５７】
なお、本発明は、上記実施の形態に限定されるものでなく、実施段階では、その要旨を変更しない範囲で種々変形することが可能である。例えば、上述した実施の形態では、無線通信部１ａ、１３としてブルートゥースの無線通信を行うものについて述べたが、同等の近距離通信であればよく、例えば、ＵＷＢ規格、赤外線通信規格、無線ＬＡＮ規格などを適用することもできる。
【００５８】
その他、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００５９】
【図１】本発明の第１の実施の形態のスピーカーシステムの概略構成を示す図。
【図２】第１の実施の形態のスピーカーシステムの回路構成を示す図。
【図３】第１の実施の形態のスピーカーシステムに接続されるＡＣアダプタの概略構成を示す図。
【図４】本発明の変形例１に用いられる音楽プレーヤーの概略構成を示す図。
【符号の説明】
【００６０】
１…音楽プレーヤー、１ａ…無線通信部
１ｂ…ヘッドフォン端子、２…スピーカーシステム
２ａ…システム本体、２ｂ．２ｃ…スピーカー
３…操作部、４…電源スイッチ
５…ＡＣアダプタ接続端子、５ａ…正側電極
５ｂ…負側電極、６…電池残量表示部
１１…充電式電池、１２…制御部
１２１…スピーカー駆動手段、１２２…電池残量監視手段
１３…無線通信部、１４…監視保護回路
１５…ＡＣアダプタ、１６…充電部
１７…ＡＣ／ＤＣコンバータ、１８…電源コード
１９…プラグ、１９ａ…正側電極、１９ｂ…負側電極
２０…無線通信アダプター、２１…ケーブル
２２…マイク
【図１】
2008278328.tif 000003
【図２】
2008278328.tif 000004
【図３】
2008278328.tif 000005
【図４】
2008278328.tif 000006